(57)【要約】【課題】装置内にディスクを常備しながら、その盗難を防止することのできるディスククランパ、及びディスク駆動装置の提供。【解決手段】ディスククランパ５、ターンテーブル２１、及び光ピックアップ２２を備えたディスク駆動装置である。ディスククランパ５は、ターンテーブル２１のボス部２１ａを覆う中心凹部５１と、中心凹部５１の外周に連なる円板部５２とを有する。円板部５２には、ターンテーブル２１との対向面５２ｔにディスクＤ１が同心状に固着されている。又、円板部５２にディスクＤ１を貫通する複数の凸部５５が設けられ、フランジ部２１ｂには凸部５５に対応する環状溝２１ｄが形成される。ターンテーブル２１とディスククランパ５とによりディスクＤ１を挟持するとき、凸部５５の先端が環状溝２１ｄ内に入り込み、ディスクＤ１にフランジ部２１ｂと円板部５２が接触する。【選択図】図４
2010218607.tif 000002
【特許請求の範囲】
【請求項１】
ボス部の外周に円形のフランジ部を有するターンテーブルと協同して、所定の情報が記録されているか若しくは所定の情報を記録可能なディスクを一体的に回転可能に挟持するディスククランパであり、
前記ターンテーブルのボス部が前記ディスクの中心孔に挿入された時そのボス部を覆う中心凹部と、この中心凹部の外周に連なる円板部とを有し、
前記円板部における前記ターンテーブルとの対向面に、前記ディスクが前記円板部と同心状に固着されていることを特徴とするディスククランパ。
【請求項２】
ボス部の外周に円形のフランジ部を有するターンテーブルと協同して、所定の情報が記録されているか若しくは所定の情報を記録可能なディスクを一体的に回転可能に挟持するディスククランパであり、
前記ターンテーブルのボス部が前記ディスクの中心孔に挿入された時そのボス部を覆う中心凹部と、
前記中心凹部の外周に連なる円板部と、
前記円板部の外周にあってこの円板部における前記ターンテーブルとの対向面に前記ディスクを同心状にして着脱可能に保持する弾性爪と、
を有することを特徴とするディスククランパ。
【請求項３】
前記円板部には、前記ターンテーブルのフランジ部に対向する位置において前記ディスクを貫通する複数の凸部が設けられていることを特徴とする請求項１、又は２記載のディスククランパ。
【請求項４】
前記円板部の外周には、前記ディスクの厚さよりも大きな高さを有して前記ターンテーブル側に突出する壁部が設けられていることを特徴とする請求項１〜３のいずれか一項に記載のディスククランパ。
【請求項５】
請求項１〜４のいずれか一項に記載のディスクを挟持するディスククランパとターンテーブル、及び前記ディスククランパと前記ターンテーブルとにより挟持された前記ディスクにおける前記ターンテーブル側の面に光を照射する光ピックアップを備えたディスク駆動装置。
【請求項６】
前記ディスクを第１ディスクとして、そのディスクとは別の第２ディスクを前記第１ディスクと重なるように前記ディスククランパと前記ターンテーブルとにより挟持したとき、前記光ピックアップから前記第２ディスクにおける前記ターンテーブル側の面までの距離と、前記第１ディスクのみを挟持した場合の前記光ピックアップから前記第１ディスクにおける前記ターンテーブル側の面までの距離と、が同じになる構成とされていることを特徴とする請求項５記載のディスク駆動装置。
【請求項７】
請求項３記載のディスクを挟持するディスククランパとターンテーブル、及び前記ディスククランパと前記ターンテーブルとにより挟持された前記ディスクにおける前記ターンテーブル側の面に光を照射する光ピックアップを備えたディスク駆動装置であり、
前記ターンテーブルのフランジ部に前記ディスククランパの凸部に対応する環状溝が形成され、
前記ターンテーブルと前記ディスククランパとにより前記ディスクを挟持するとき、前記凸部の先端が前記環状溝内に入り込み、前記ディスクの内周側両面に前記フランジ部と前記円板部が接触する一方、
前記ディスクを第１ディスクとして、その第１ディスクよりも大きな直径を有する第２ディスクを前記ターンテーブルと前記ディスククランパとにより挟持するときには、前記第２ディスクが前記ターンテーブルのフランジ部で支持されながら、前記第２ディスクの他面側に前記凸部の先端が接触し、前記第１ディスクと第２ディスクとの間に隙間が形成されることを特徴とするディスク駆動装置。
【請求項８】
請求項４記載のディスクを挟持するディスククランパとターンテーブル、及び前記ディスククランパと前記ターンテーブルとにより挟持された前記ディスクにおける前記ターンテーブル側の面に光を照射する光ピックアップを備えたディスク駆動装置であり、
前記ターンテーブルと前記ディスククランパとにより前記ディスクを挟持するとき、前記ディスクの内周側両面に前記フランジ部と前記円板部が接触する一方、
前記ディスクを第１ディスクとして、その第１ディスクよりも大きな直径を有する第２ディスクを前記ターンテーブルと前記ディスククランパとにより挟持するときには、前記第２ディスクが前記ターンテーブルのフランジ部で支持されながら、前記第２ディスクの他面側に前記壁部が接触し、前記第１ディスクと第２ディスクとの間に隙間が形成されることを特徴とするディスク駆動装置。
【発明の詳細な説明】
【技術分野】
【０００１】
本発明は、ＣＤやＤＶＤといったディスクに所定の情報を記録したり、記録された情報を再生したりするとき、回転駆動するターンテーブルと協同してディスクを回転可能に挟持するのに用いられるディスククランパと、これを備えたディスク駆動装置に関する。
【背景技術】
【０００２】
従来、ディスク駆動装置として、ＣＤプレーヤ、ＤＶＤプレーヤ、ＤＶＤレコーダなどが知られ、一般に広く利用されている。その種の装置は、一方向に回転されるディスクの半径方向に移動するピックアップを備え、そのピックアップにより情報をディスクに記録したり、記録された情報を読み出したりできるようになっている。
【０００３】
ディスクを回転させる手段としては、一方向に回転駆動するターンテーブルと、クランパと呼ばれる回転自在な円板状の部材とが用いられ、その両者によりディスクの中心部を挟持するようにしている（例えば、特許文献１）。
【先行技術文献】
【特許文献】
【０００４】
【特許文献１】特開平６−３０９８５６号公報
【発明の概要】
【発明が解決しようとする課題】
【０００５】
しかしながら、従来のディスク駆動装置によれば、例えば音楽を聴くに際し所望の音楽が記録されたディスクが必要である。
【０００６】
又、装置内に装填されたディスクは、操作部に設けられるスイッチを操作するだけで外部に自動的に搬出され、あるいはクランパを備える蓋を開くことによりターンテーブル上に単に載置された状態で外部に現れるので、ディスクを装置内に残したままにした場合、これが持ち去られる虞があった。例えば、店頭などでのデモンストレーション用に、特定のオーディオ情報を記録したディスクの再生駆動を行う場合、同ディスクが盗難されてしまうことがあった。
【０００７】
本発明は以上のような事情に鑑みて成されたものであり、その主たる目的は装置内にディスクを常備しながら、その盗難を防止できるようにすることにある。
【課題を解決するための手段】
【０００８】
本発明は上記目的を達成するため、
ボス部２１ａの外周に円形のフランジ部２１ｂを有するターンテーブル２１と協同して、所定の情報が記録されているか若しくは所定の情報を記録可能なディスクＤ１を一体的に回転可能に挟持するディスククランパ５であり、
前記ターンテーブル２１のボス部２１ａが前記ディスクＤ１の中心孔ｈｃに挿入された時そのボス部２１ａを覆う中心凹部５１と、この中心凹部５１の外周に連なる円板部５２とを有し、
前記円板部５２における前記ターンテーブル２１との対向面５２ｔに、前記ディスクＤ１が前記円板部５２と同心状に固着されていることを特徴とするディスククランパ５を提供するものである。
【０００９】
又、ボス部２１ａの外周に円形のフランジ部２１ｂを有するターンテーブル２１と協同して、所定の情報が記録されているか若しくは所定の情報を記録可能なディスクＤ１を一体的に回転可能に挟持するディスククランパ５であり、
前記ターンテーブル２１のボス部２１ａが前記ディスクＤ１の中心孔ｈｃに挿入された時そのボス部２１ａを覆う中心凹部５１と、
前記中心凹部５１の外周に連なる円板部５２と、
前記円板部５２の外周にあってこの円板部５２における前記ターンテーブル２１との対向面５２ｔに前記ディスクＤ１を同心状にして着脱可能に保持する弾性爪５６と、
を有することを特徴とするディスククランパ５を提供する。
【００１０】
又、上記ディスククランパ５に関し、前記円板部５２には、前記ターンテーブル２１のフランジ部２１ｂに対向する位置において前記ディスクＤ１を貫通する複数の凸部５５が設けられていることを特徴とする。
【００１１】
更に、前記円板部５２の外周には、前記ディスクＤ１の厚さよりも大きな高さを有して前記ターンテーブル２１側に突出する壁部５３が設けられていることを特徴とする。
【００１２】
一方、本発明は、前記ディスクＤ１を挟持するディスククランパ５とターンテーブル２１、及び前記ディスククランパ５と前記ターンテーブル２１とにより挟持された前記ディスクＤ１における前記ターンテーブル２１側の面ｆｒに光を照射する光ピックアップ２２を備えたディスク駆動装置を提供する。
【００１３】
特に、係るディスク駆動装置は、前記ディスクＤ１を第１ディスクとして、そのディスクＤ１とは別の第２ディスクＤ２を前記第１ディスクＤ１と重なるように前記ディスククランパ５と前記ターンテーブル２１とにより挟持したとき、前記光ピックアップ２２から前記第２ディスクＤ２における前記ターンテーブル２１側の面ｆｒ２までの距離Ｌ２と、前記第１ディスクＤ１のみを挟持した場合の前記光ピックアップ２２から前記第１ディスクＤ１における前記ターンテーブル２１側の面ｆｒまでの距離Ｌ１と、が同じ（Ｌ１＝Ｌ２）になる構成とされている。
【００１４】
又、前記ディスクＤ１を挟持するディスククランパ５とターンテーブル２１、及び前記ディスククランパ５と前記ターンテーブル２１とにより挟持された前記ディスクＤ１における前記ターンテーブル２１側の面ｆｒに光を照射する光ピックアップ２２を備えたディスク駆動装置であり、
前記ターンテーブル２１のフランジ部２１ｂに前記ディスククランパ５の凸部５５に対応する環状溝２１ｄが形成され、
前記ターンテーブル２１と前記ディスククランパ５とにより前記ディスクＤ１を挟持するとき、前記凸部５５の先端が前記環状溝２１ｄ内に入り込み、前記ディスクＤ１の内周側両面ｆｒ，ｆｎに前記フランジ部２１ｂと前記円板部５２が接触する一方、
前記ディスクＤ１を第１ディスクとして、その第１ディスクＤ１よりも大きな直径を有する第２ディスクＤ２を前記ターンテーブル２１と前記ディスククランパ５とにより挟持するときには、前記第２ディスクＤ２が前記ターンテーブル２１のフランジ部２１ｂで支持されながら、前記第２ディスクＤ２の他面ｆｎ２側に前記凸部５５の先端が接触し、両ディスクＤ１，Ｄ２の間に隙間Ｇが形成されることを特徴とする。
【００１５】
更に、ディスクＤ１を挟持するディスククランパ５とターンテーブル２１、及び前記ディスククランパ５と前記ターンテーブル２１とにより挟持された前記ディスクＤ１における前記ターンテーブル２１側の面ｆｒに光を照射する光ピックアップ２２を備えたディスク駆動装置であり、
前記ターンテーブル２１と前記ディスククランパ５とにより前記ディスクＤ１を挟持するとき、前記ディスクＤ１の内周側両面ｆｒ，ｆｎに前記フランジ部２１ｂと前記円板部５２が接触する一方、
前記ディスクＤ１を第１ディスクとして、その第１ディスクＤ１よりも大きな直径を有する第２ディスクＤ２を前記ターンテーブル２１と前記ディスククランパ５とにより挟持するときには、前記第２ディスクＤ２が前記ターンテーブル２１のフランジ部２１ｂで支持されながら、前記第２ディスクＤ２の他面ｆｎ２側に前記壁部５３が接触し、両ディスクＤ１，Ｄ２の間に隙間Ｇが形成されることを特徴とする。
【発明の効果】
【００１６】
本発明に係るディスククランパによれば、中心凹部の外周に連なる円板部に対してディスク（第１ディスク）が固着もしくは着脱可能に設けられることから、そのディスクとは別のディスク（第２ディスク）を用意する必要の無いディスク常備型のディスク駆動装置を構成し、常備された第１ディスクを利用して情報を記録したり、その記録情報を読み取って再生したりすることができる。
【００１７】
又、ディスククランパが開閉蓋に設けられるディスク駆動装置でも、第１ディスクはディスククランパにより覆われて目立たず、ディスク搬送機構を備えるディスク駆動装置では、第１ディスクがディスク搬送機構により外部に自動搬出されず、ディスククランパと一体のまま装置内に残存するので、いずれの場合も第１ディスクを常備しながらその紛失、盗難を防止することができる。
【００１８】
特に、第１ディスクが着脱自在とされるものでは、同ディスクを必要に応じて交換することができる。
【００１９】
加えて、ディスククランパの円板部に第１ディスクを貫通する凸部が設けられるものでは、第１ディスクとは別の第２ディスクを第１ディスクに接触させること無くターンテーブルとの間に挟み込み、その第２ディスクに対して第１ディスクと共通の光ピックアップで情報を記録したり、その記録情報を読み取って再生したりすることができ、しかも両ディスクの間に隙間が形成されるので第１ディスクに傷が付くことを防止して、その記録情報を長期に亘り好適に読み取ることが可能となる。
【００２０】
又、円板部の外周に第１ディスクを囲む壁部が設けられるものでは、第１ディスクよりも直径が大きい第２ディスクの記録情報を読み取るなどするとき、第２ディスクがディスククランパ側に反っていても、その反りを矯正して第２ディスクの記録情報を好適に読み取ることができる。
【図面の簡単な説明】
【００２１】
【図１】本発明に係るディスククランパを備えたディスク駆動装置を示す概略図
【図２】ディスククランパを部分的に破断して示した斜視分解図
【図３】ディスククランパをターンテーブルに近接させた状態を示す部分断面図
【図４】ディスククランパの使用態様を示す説明図
【図５】ディスククランパの変更例を示す底面図
【図６】図５のＸ−Ｘ線における拡大断面図
【図７】図５、図６に示したディスククランパの使用態様を示す部分断面図
【図８】ディスククランパの他の変更例を示す断面図
【図９】図８に示したディスククランパの使用態様を示す部分断面図
【図１０】弾性爪の変形例を示す説明図
【発明を実施するための形態】
【００２２】
以下、図面に基づき本発明を詳しく説明する。先ず、図１において、１はディスク駆動装置の本体部であり、この本体部１にはドライブユニット２が内蔵されている。ドライブユニット２は、ターンテーブル２１と光ピックアップ２２とを備えるユニット構造物であり、これを構成するターンテーブル２１は変速制御が可能なモータ２３の駆動軸に取り付けられて一方向に回転駆動する。又、光ピックアップ２２は対物レンズや受光素子などを備える公知の光学部品であり、これは図示せぬピックアップ移送機構により図１の左右方向に移動可能とされている。
【００２３】
一方、本体部１にはヒンジ３を介して開閉蓋４が開閉自在に取り付けられ、その開閉蓋４にはターンテーブル２１に対応する位置においてディスククランパ５が回転自在に取り付けられている。尚、６はディスククランパ５を支持する支軸であり、ディスククランパ５はその支軸６に遊嵌されて同支軸６の軸方向に移動可能とされており、開閉蓋４とディスククランパ５の間には図示せぬ板バネが介在されてディスククランパ５をターンテーブル２１側に付勢している。ディスククランパ５は、ターンテーブル２１よりも大きな直径を有する円形状の部材であり、これには光ピックアップ２２により情報の読み書きが可能とされる後述のディスク（第１ディスク）が一体的に設けられる。
【００２４】
そして、係るディスク駆動装置によれば、ディスククランパ５に装備される第１ディスクのほか、その第１ディスクとは別のディスク（第２ディスク）をターンテーブル２１とディスククランパ５とにより挟持（クランプ）し、これをターンテーブル２１の回転駆動により一方向に回転させながら、それらディスクの半径方向に光ピックアップ２２を移動させ、その光ピックアップ２２により近接するディスクに情報を記録したり、記録された情報を読み取って再生したりすることができる。
【００２５】
図２において、Ｄ１はディスククランパ５に装備される上記第１ディスク（以下、第１を省略してディスクＤ１とする）である。本例において、係るディスクＤ１は中心孔ｈｃを有する直径８ｃｍの光ディスクであり、中心孔ｈｃの周囲にはそれよりも直径の小さい複数（図示例において４つ）の小径孔ｈｓが周方向に等間隔に穿設されている。尚、ディスククランパ５に対向するディスクの片面は非記録面ｆｎ、その反対側は光ピックアップ２２による情報の読み書きが可能な記録面ｆｒとされ、記録面ｆｒには小径孔ｈｓよりも外周の領域において予め所定の情報が記録されており、その記録情報が光ピックアップ２２により読取可能とされている。
【００２６】
一方、ディスククランパ５は、その中心に設けられる中心凹部５１の外周に、ディスクＤ１と同径若しくはそれより若干大径の円板部５２が一体的に連なる形態であり、円板部５２の外周にはディスクＤ１を囲むよう上記ターンテーブル２１側に突出する環状の壁部５３が形成されている。又、図２から明らかなように、中心凹部５１内には中空状の軸部５４が形成され、円板部５２の内周側にはディスクＤ１の小径孔ｈｓに対応する複数の凸部５５が設けられている。
【００２７】
そして、本例によれば、ディスクＤ１の各小径孔ｈｓに凸部５５が貫通状態に挿入され、壁部５３の内側においてディスクＤ１が円板部５２に対し同心状に固着される。ここに、凸部５５はディスクＤ１の芯出しとして機能するほか、ディスクＤ１とは別にディスククランパ５に対して固定保持されない第２ディスク（以下、第２を省略してディスクＤ２とする）を上記ターンテーブル２１に押し付ける働きをする。尚、偏平円形の円板部５２に対するディスクＤ１の固着には接着剤が用いられるが、これに両面粘着テープを用いるか、あるいは小径孔ｈｓに対して凸部５５が圧入する方式としてもよい。
【００２８】
次に、図３はディスクＤ１が固着されたディスククランパ５の断面を示す。この図で明らかなように、ディスクＤ１は円板部５２におけるターンテーブル２１との対向面５２ｔに固着され、その記録面ｆｒがターンテーブル２１及び光ピックアップ２２に向けて全面的に露出されており、壁部５３はディスクＤ１の直径（外径）と同一の内径を有してディスクＤ１を囲んでいる。又、凸部５５と壁部５３はターンテーブル２１の対向面５２ｔから同一の高さｈを有し、その高さｈがディスクＤ１の厚さｔよりも大きく、その差（ｈ−ｔ）だけ凸部５５と壁部５３がディスクＤ１よりもターンテーブル２１側に突出する構成とされている。尚、本例において、上記の差（ｈ−ｔ）は０．１〜０．３ｍｍとされている。
【００２９】
一方、ターンテーブル２１は、モータ２３の駆動軸に固着されるテーパ状のボス部２１ａの外周に円形のフランジ部２１ｂを一体に設けた構成で、ボス部２１ａの中心にはディスククランパ５の軸部５４に対応する穴部２１ｃが設けられ、フランジ部２１ｂにはディスククランパ５の凸部５５に対応して環状溝２１ｄが形成されている。
【００３０】
ここに、上記のようなディスククランパ５を備えたディスク駆動装置によれば、ディスククランパ５とドライブユニット２を寄り合う方向に相対移動させ（本例において図１に示される開閉蓋４を閉めてディスククランパ５を押し下げ）、ディスククランパ５とターンテーブル２１を閉じることにより、その両者５，２１の間にディスクＤ１が挟み込まれることになる。このとき、図４(a)のように、ターンテーブル２１の環状溝２１ｄにディスククランパ５の凸部５５の先端が入り込み、ディスクＤ１の内周側両面に対して円板部５２とフランジ部２１ｂとが隙間なく接触し、ターンテーブル２１のボス部２１ａはディスクＤ１の中心孔ｈｃに挿入してディスククランパ５の中心凹部５１で覆われ、穴部２１ｃ内には軸部５４が嵌合する。
【００３１】
しかして、モータ２３を駆動すると、ターンテーブル２１、及びディスクＤ１を備えたディスククランパ５が一体となって一方向に回転する。そこで、光ピックアップ２２を回転中のディスクＤ１の盤面（記録面ｆｒ）に沿ってその半径方向に移動させることにより、ディスクＤ１に記録された情報を読み取って再生することができ、しかもディスクＤ１及び光ピックアップ２２が書き込み可能なものであれば、回転中のディスクＤ１に所望の情報を適宜書き込んで記録することができる。
【００３２】
ここに、ディスクＤ１に対する壁部５３の突出量（ｈ−ｔ）が０．１〜０．３ｍｍに設定されていることから、壁部５３の先端が光ピックアップ２２に干渉して光ピックアップ２２の移動を阻害してしまうことはない。又、ディスクＤ１は、ディスククランパ５により覆われるので目立たず、仮にディスクＤ１を発見されたとしても、これがディスククランパ５の円板部５２に固着されているので容易に取り出すことはできず、結果的に大きな盗難防止効果を得られる。
【００３３】
一方、ディスクＤ１とは別に、光ピックアップ２２により記録された情報の読み取りが可能とされる他のディスクＤ２（第２ディスク）をターンテーブル２１に載せ、図４(b)のようにターンテーブル２１とディスククランパ５を閉じると、フランジ部２１ｂによりディスクＤ２が支持されたまま、図示せぬ板バネ（磁力の利用も可）の作用により同ディスクＤ２の他面側（非記録面ｆｎ２）に凸部５５の先端が接触する。尚、本例において、ディスクＤ２はオーディオ情報などが記録された市販の光ディスク（直径１２ｃｍ）であり、その記録面ｆｒ２はターンテーブル２１側に向けられ、非記録面ｆｎ２には凸部５５のみならず壁部５３の先端も接触する。
【００３４】
しかして、モータ２３を駆動すると、ターンテーブル２１、ディスクＤ１を備えたディスククランパ５、及びディスクＤ２が一体となって一方向に回転する。そこで、光ピックアップ２２を回転中のディスクＤ２の盤面（記録面ｆｒ２）に沿ってその半径方向に移動させることにより、ディスクＤ２の記録情報を読み取って再生することができ、しかもディスクＤ２及び光ピックアップ２２が書き込み可能なものであれば、回転中のディスクＤ２に所望の情報を適宜書き込んで記録することができる。
【００３５】
ここに、２つのディスクＤ１，Ｄ２の間には、ディスクＤ１に対する凸部５５及び壁部５３の突出量（ｈ−ｔ）に相当する隙間Ｇが形成されるので、ディスクＤ１の記録面ｆｒに傷が付き難く、しかもディスクＤ１よりも大きな直径を有するディスクＤ２であれば、その非記録面ｆｎ２の外周側に壁部５３が接触するので、ディスクＤ２が非記録面ｆｎ２側に反っている場合でも、その反りを矯正して情報の読み取り／書き込みを良好に行うことができる。
【００３６】
このように、本発明によれば、円板部５２にディスクＤ１を固定しながら、そのディスクＤ１を介して別のディスクＤ２をディスククランパ５とターンテーブル２１とにより挟持することができ、この場合における光ピックアップ２２からディスクＤ２の面ｆｒ２までの距離Ｌ２が、ディスクＤ１のみを挟持した場合の光ピックアップ２２からディスクＤ１の面ｆｒまでの距離Ｌ１と同じ（Ｌ１＝Ｌ２）になる構成とされているから、従来通りディスクＤ２を用いて情報の記録や再生を行うことができ、ディスクＤ２を持ち合わせていない場合でも、ディスククランパ５に常備されるディスクＤ１により、音楽などを試聴、鑑賞することができるという効果が得られる。
【００３７】
以上、本発明の具体的好例を説明したが、係るディスク駆動装置は図１のように開閉蓋４を有してディスクチャッキング動作が手動で行われるものに限らず、例えばドライブユニット２を昇降可動式にして、ディスク搬送機構により装置内に搬入されたディスクＤ２が自動的にクランプ（ディスククランパ５とターンテーブル２１とにより挟持）される態様でもよい。又、ディスクＤ１の中心孔ｈｃはターンテーブル２１のボス部２１ａの外径に合致することに限らず、その直径を凸部５５の外側まで広げ、その中心孔ｈｃの内側において凸部５５がディスクＤ１を貫通するようにしてもよい。更に、凸部５５および壁部５３を省略してもよい。凸部５５および壁部５３が無ければ、ディスクＤ２を回転させるときにディスクＤ１，Ｄ２同士が密着状態に重なってディスクＤ１の記録面ｆｒに傷が付く可能性があるものの、ディスクＤ１の紛失、盗難を防止しながらディスクＤ１，Ｄ２を併用して情報の記録／再生を行うことが可能となる。
【００３８】
一方、上記例のように、ディスククランパ５の円板部５２に対してディスクＤ１を固着するのでなく、そのディスクＤ１をディスククランパ５に対して着脱可能としてもよい。例えば、図５及び図６のように円板部５２の外周部にバネ性を有する複数の弾性爪５６を設け、その各弾性爪５６によりディスクＤ１が片面（非記録面ｆｎ）を円板部５２に密着させた状態で外周縁を保持される構成とすることができる。ここに、本例では円板部５２に中心凹部５１を挟んで２つの貫通孔５７を穿設し、その貫通孔５７を利用してディスクＤ１を指先などで押圧することにより、円板部５２に宛がわれたディスクＤ１を弾性爪５６のバネ力に抗してディスククランパ５から取り外すことが可能とされている。そして、本例のディスククランパ５でも、図７(a)のように、ターンテーブル２１との間にディスクＤ１を挟持して回転させながら、その記録情報を光ピックアップ２２で読み取って再生できるほか、ディスクＤ１をディスククランパ５に装着した状態のまま、図７(b)のようにディスクＤ２をターンテーブル２１とディスククランパ５（凸部５５及び弾性爪５６を含む壁部５３）とにより挟持して回転させながら、その記録情報を光ピックアップ２２で読み取って再生することができる。
【００３９】
又、他の変更例として、図５〜図７に示したディスククランパ５の凸部５５を省略して図８のようなディスククランパ５とすることもできる。ここに、図８のようなディスククランパ５によれば、ディスクＤ１として図２のような小径孔ｈｓの穿設されていない市販の光ディスクをディスククランパ５に装着し、これを図９(a)のように、ターンテーブル２１との間に挟持して回転させながら、その記録情報を光ピックアップ２２で読み取って再生できるほか、ディスクＤ１をディスククランパ５に装着した状態のまま、図９(b)のようにディスクＤ２をターンテーブル２１とディスククランパ５（弾性爪５６を含む壁部５３）とにより挟持して回転させながら、その記録情報を光ピックアップ２２で読み取って再生することができる。
【００４０】
尚、上記各例のディスククランパ５において、ディスクＤ１は８ｃｍの光ディスクに限らず、少なくとも直径４６ｍｍよりも外周に一定幅の情報記録エリアが設けられているものであればよく、例えば円板部５２の直径を大きくしてこれに１２ｃｍの光ディスクを固着、装着することもできる。又、図５〜図９において、弾性爪５６は壁部５３の内周を部分的に突出させて成るが、壁部５３を省略し、弾性爪５６を図１０のようなＬ字形として形成しても良い。更に、壁部５３は連続する環状に限らず、複数が弧状に形成されていてもよい。
【符号の説明】
【００４１】
１  ディスク駆動装置の本体部
２  ドライブユニット
２１  ターンテーブル
２１ａ  ボス部
２１ｂ  フランジ部
２１ｄ  環状溝
２２  光ピックアップ
２３  モータ
４  開閉蓋
５  ディスククランパ
５１  中心凹部
５２  円板部
５３  壁部
５５  凸部
５６  弾性爪
Ｄ１  ディスク（第１ディスク）
ｆｎ  非記録面
ｆｒ  記録面
Ｄ２  ディスク（第２ディスク）
ｆｎ２  非記録面
ｆｒ２  記録面
【図１】
2010218607.tif 000003
【図２】
2010218607.tif 000004
【図３】
2010218607.tif 000005
【図４】
2010218607.tif 000006
【図５】
2010218607.tif 000007
【図６】
2010218607.tif 000008
【図７】
2010218607.tif 000009
【図８】
2010218607.tif 000010
【図９】
2010218607.tif 000011
【図１０】
2010218607.tif 000012